(57)【要約】    【課題】      通話時に単に開いて展開するだけで高いアンテナ性能が得られるようにすること。    【解決手段】  上部筐体１００及び下部筐体１０１の長手方向一端をヒンジ部１０２を介して回動自在に連結し、通話時では開いて展開した状態で使用できるようにした折畳式携帯無線機において、展開したときに下部筐体１０１の長手方向のヒンジ部側の端部に設けられるアンテナ素子１０９と電磁結合が可能となる略半波長の電気長を有する線状の無給電素子１１１を上部筐体１００の長手方向のヒンジ部側の端部に設け、無給電素子１１１に電流が集中して流れるようにした。  【選択図】      図１
2006041689.tif 000002
【特許請求の範囲】
【請求項１】
上部筐体及び下部筐体の長手方向一端をヒンジ部を介して回動自在に連結し、通話時では開いて展開した状態で使用できるようにした折畳式携帯無線機において、展開したときに前記下部筐体の長手方向の前記ヒンジ部側の端部に設けられるアンテナ素子と電磁結合が可能となる略半波長の電気長を有する線状の無給電素子を前記上部筐体の長手方向の前記ヒンジ部側の端部に設けたことを特徴とする折畳式携帯無線機。
【請求項２】
下部筐体に設けられる前記アンテナ素子は、ヘリカルアンテナ素子またはミアンダアンテナ素子であり、展開したときに、前記無給電素子は、その主要部の配置方向が前記ヘリカルアンテナ素子またはミアンダアンテナ素子の軸方向と略平行となるように配置されていることを特徴とする請求項１記載の折畳式携帯無線機。
【請求項３】
前記無給電素子は、上部筐体の短手方向に沿って配置される主素子片と、この主素子片の両端側において電気的に接続されて上部筐体の長手方向一端側に向かって配置される略等長の副素子片とで構成され、展開したときに前記副素子片の一方が下部筐体に設けられる前記アンテナ素子と電磁結合し、前記副素子片の他方が開放端となることを特徴とする請求項１又は請求項２記載の折畳式携帯無線機。
【請求項４】
前記無給電素子において、前記主素子片の両端側に配置される前記副主素子片は、それぞれミアンダ状に形成されていることを特徴とする請求項３記載の折畳式携帯無線機。
【請求項５】
前記無給電素子は、下部筐体に設けられる前記アンテナ素子と対応する前記上部筐体の短手方向一端側において上部筐体の長手方向に沿って直線状に配置されていることを特徴とする請求項１又は請求項２記載の折畳式携帯無線機。
【請求項６】
前記無給電素子は、上部筐体の短手方向に沿って配置される主素子片と、この主素子片の一端側であって下部筐体に設けられる前記アンテナ素子と対応する片端側において上部筐体の長手方向一端側に向かって配置される副素子片とで構成されることを特徴とする請求項１又は請求項２記載の折畳式携帯無線機。
【請求項７】
前記無給電素子は、導電性の薄膜や線材で形成され上部筐体を構成する樹脂製ケースの内面または外面に貼付する方法で、上部筐体の背面側であって展開したときに下部筐体に設けられる前記アンテナ素子と近接する位置に配置されていることを特徴とする請求項１又は請求項２記載の折畳式携帯無線機。
【請求項８】
前記無給電素子の主素子片は、その中央位置を前記上部筐体の短手方向中央位置に合わせて配置されていることを特徴とする請求項３又は請求項４記載の折畳式携帯無線機。
【発明の詳細な説明】
【技術分野】
【０００１】
本発明は、上部筐体と下部筐体との片端をヒンジ部を介して回動自在に連結した折畳式携帯無線機に関する。
【背景技術】
【０００２】
折畳式携帯無線機は、上部筐体と下部筐体との片端をヒンジ部を介して回動自在に連結し、待ち受け時では折り畳んだ状態で使用し、通話時では展開した状態で使用できるように構成されている（例えば特許文献１）。以下、この発明の理解を容易にするため図８及び図９を参照してその概要を説明する。図８及び図９は、従来の折畳式携帯無線機の展開状態での外観構成等を説明する背面図及び側面図である。
【０００３】
図８及び図９に示すように、上部筐体８００の下端と下部筐体８０１の上端とはヒンジ部８０２を介して回動自在に連結され、両筐体の正面側を閉じて折り畳み、また開いて展開できるようになっている。上部筐体８００の正面側には、中央付近に主表示部８０３が配置され、上端側に受話部８０４が配置されている。また上部筐体８００の背面側には、中央付近に副表示部８０５が配置されている。これらは図示しない回路基板に接続されている。
【０００４】
下部筐体８０１では、正面上部側にヒンジ部８０２が突出して設けられ、上部筐体８００の正面側と下部筐体８０１の正面側とを閉じて折り畳んだときに上部筐体８００が下部筐体８０１の正面側を塞いで蓋をするようになっている。また、内蔵される回路基板８０６の下端側表面には、送話部８０７が配置され、上端側背面には無線部８０８と給電部８０９とが配置されている。この給電部８０９には、下部筐体８０１の上部端面に突出して設けられるヘリカルアンテナ素子８１０の一端が接続されている。ヘリカルアンテナ素子８１０は、略４分の１波長の電気長を有している。
【０００５】
図１０は、ヘリカルアンテナ素子８１０の放射パターンを示す図である。図１０では、直交座標ＸＹＺにおけるＸＺ面でのＥφ成分１００１とＥθ成分１００２とが示されている。図１０に示すように、Ｅφ成分１００１とＥθ成分１００２とは、Ｘ軸方向でもＺ軸方向でもほぼ同等の大きさになっている。
【０００６】
さて、以上のように構成される折畳式携帯無線機による通話は、例えば図１１に示す態様で行われる。図１１は通話状態での折畳式携帯無線機の使用態様を説明する図である。図１１では、使用者１１００が開いて展開した状態の折畳式携帯無線機の下部筐体８０１を右手１１０１に持ち、上部筐体８００の上端側に在る受話部８０４を右耳に当てている状態が示されている。
【０００７】
このように開いて展開した状態の折畳式携帯無線機では、上部筐体８００の背面が下部筐体８０１の上端面に突出して設けられるヘリカルアンテナ素子８１０の近傍に位置することになるので、ヘリカルアンテナ素子８１０は、上部筐体８００内の金属製材料や、上部筐体８００内の電子部品と下部筐体８０１内の電子部品とを接続するフレキシブルプリント基板などと電磁結合するが、通話使用時では、これらに人体側頭部１１０２や手１１０１が近接することによってアンテナ性能が劣化する。
【０００８】
そこで、従来からこのアンテナ性能が劣化する問題に対する解決策が種々提案されている（例えば特許文献１〜４）。即ち、特許文献１では、折畳式携帯無線機の開閉動作に連動してアンテナ素子の角度を変更できる機構が開示されている。また、特許文献２では、着信時に着信ボタンの押下を検出してアンテナ素子の角度を本体に対して傾斜させる構成が開示されている。また、特許文献３では、筐体内に収容された棒状アンテナ素子を引き出して棒状アンテナの先端を人体から遠ざける構成が開示されている。また、特許文献４では、筐体背面に収容された略半波長の電気長の無給電素子を有する板状アンテナ部を引き出す構成が開示されている。
【特許文献１】特開２００３−８７３７５号公報
【特許文献２】特開２００１−３０８９９５号公報
【特許文献３】特開２００１−５７５８５号公報
【特許文献４】特開２００１−３２６５１３号公報
【発明の開示】
【発明が解決しようとする課題】
【０００９】
しかしながら、特許文献１および特許文献２に開示されている技術では、通話状態において高いアンテナ性能を確保するために、アンテナ素子の角度調整機構が新たに必要になるという問題がある。
【００１０】
また、特許文献３および特許文献４に開示されている技術では、通話状態において高いアンテナ性能を確保するために、使用者自身による棒状アンテナや板状アンテナ部の引き出し操作が必要であるという問題がある。
【００１１】
要するに、折畳式携帯無線機では、特別な機構を追加することなく、また使用者に余計な操作を依頼することなく、通話する場合に使用者が単に上部筐体を開いて展開し受話部を耳に当てる通常の操作を行うだけで済むようにするには、使用者の側頭部や手等の影響を受けずに所望の性能を有するアンテナの開発が望まれている。この点について検討する。
【００１２】
図１１に示す使用態様では、一般に、折畳式携帯無線機の長手方向、即ち、Ｚ軸方向と地面との角度αは３０°程度であるが、陸上移動通信の多重波環境における一般的な交差偏波電力比は４〜９ｄＢであり、到来波の垂直偏波の電力が水平偏波の電力より４〜９ｄＢ高いことが知られている。これは、上述した通話状態における折畳式携帯無線機のアンテナの主偏波が地面に対して垂直である方が、高い通信品質の確保ができることを示している。
【００１３】
即ち、図１０に示したように、従来のアンテナでは、Ｅφ成分１００１とＥθ成分１００２とは、Ｘ軸方向でもＺ軸方向でもほぼ同等の大きさになっているが、通話状態において地面に対する垂直偏波成分を向上させるためには、Ｚ軸方向のＥφ成分がＥθ成分よりも大きい放射パターンを持つアンテナの開発が必要である。
【００１４】
本発明は、かかる点に鑑みてなされたものであり、特別な機構を追加することなく、また使用者に余計な操作を依頼することなく、通話状態において使用者の側頭部等の影響を受けずに高い性能を有するアンテナを備えた折畳式携帯無線機を提供することを目的とする。
【課題を解決するための手段】
【００１５】
かかる課題を解決するため、本発明は、上部筐体及び下部筐体の長手方向一端をヒンジ部を介して回動自在に連結し、通話時では開いて展開した状態で使用できるようにした折畳式携帯無線機において、展開したときに前記下部筐体の長手方向の前記ヒンジ部側の端部に設けられるアンテナ素子と電磁結合が可能となる略半波長の電気長を有する線状の無給電素子を前記上部筐体の長手方向の前記ヒンジ部側の端部に設けるという構成を採る。
【００１６】
この構成によれば、通話のために折畳式携帯無線機を開いて展開すると、人体側頭部や手から離れた位置に在る無給電素子がアンテナ素子と電磁結合し、無給電素子に電流が集中する。そのため、アンテナ素子と折畳式携帯無線機内の回路基板などとの電磁結合が抑制されるので通話状態において高いアンテナ性能を確保することができる。したがって、通話する場合に使用者は単に上部筐体を開いて展開し受話部を耳に当てる通常の操作を行うだけで済む。
【００１７】
本発明に係る折畳式携帯無線機は、上記の発明において、下部筐体に設けられる前記アンテナ素子は、ヘリカルアンテナ素子またはミアンダアンテナ素子であり、展開したときに、前記無給電素子は、その主要部の配置方向が前記ヘリカルアンテナ素子またはミアンダアンテナ素子の軸方向と略平行となるように配置されているという構成を採る。
【００１８】
この構成によれば、開いて展開したときに無給電素子とアンテナ素子との電磁結合がより強くなるので、通話状態においてより高いアンテナ性能を確保することができる。
【００１９】
本発明に係る折畳式携帯無線機は、上記の発明において、前記無給電素子は、上部筐体の短手方向に沿って配置される主素子片と、この主素子片の両端側において電気的に接続されて上部筐体の長手方向一端側に向かって配置される略等長の副素子片とで構成され、展開したときに前記副素子片の一方が下部筐体に設けられる前記アンテナ素子と電磁結合し、前記副素子片の他方が開放端となるという構成を採る。
【００２０】
この構成によれば、通話状態においてアンテナ素子の主偏波が地面に対して垂直となるので、高いアンテナ性能が得られる。
【００２１】
本発明に係る折畳式携帯無線機は、上記の発明において、前記無給電素子において、前記主素子片の両端側に配置される前記副主素子片は、それぞれミアンダ状に形成されているという構成を採る。
【００２２】
この構成によれば、通話状態においてアンテナ素子の主偏波が地面に対して垂直となるので、高いアンテナ性能が得られる。
【００２３】
本発明に係る折畳式携帯無線機は、上記の発明において、前記無給電素子は、下部筐体に設けられる前記アンテナ素子と対応する前記上部筐体の短手方向一端側において上部筐体の長手方向に沿って直線状に配置されているという構成を採る。
【００２４】
この構成によれば、開いて展開したときに無給電素子とアンテナ素子とを電磁結合させることができるので、高いアンテナ性能が得られる。
【００２５】
本発明に係る折畳式携帯無線機は、上記の発明において、前記無給電素子は、上部筐体の短手方向に沿って配置される主素子片と、この主素子片の一端側であって下部筐体に設けられる前記アンテナ素子と対応する片端側において上部筐体の長手方向一端側に向かって配置される副素子片とで構成されるという構成を採る。
【００２６】
この構成によれば、通話状態においてアンテナ素子の主偏波が地面に対して垂直となるので、高いアンテナ性能が得られる。
【００２７】
本発明に係る折畳式携帯無線機は、上記の発明において、前記無給電素子は、導電性の薄膜や線材で形成され上部筐体を構成する樹脂製ケースの内面または外面に貼付する方法で、上部筐体の背面側であって展開したときに下部筐体に設けられる前記アンテナ素子と近接する位置に配置されているという構成を採る。
【００２８】
この構成によれば、開いて展開したときに無給電素子とアンテナ素子とを電磁結合させることができるので、高いアンテナ性能が得られる。
【００２９】
本発明に係る折畳式携帯無線機は、上記の発明において、前記無給電素子の主素子片は、その中央位置を前記上部筐体の短手方向中央位置に合わせて配置されているという構成を採る。
【００３０】
この構成によれば、通話状態において主偏波となる垂直偏波成分がより向上するので、より高いアンテナ性能を確保することができる。
【発明の効果】
【００３１】
本発明によれば、特別な機構を追加することなく、また使用者に余計な操作を依頼することなく、単に開いて展開するだけで高いアンテナ性能が得られる。したがって、通話する場合に使用者は単に上部筐体を開いて展開し受話部を耳に当てる通常の操作を行うだけで済むようにする。
【発明を実施するための最良の形態】
【００３２】
本発明の骨子は、特別な機構を追加することなく、また使用者に余計な操作を依頼することなく、通話する場合に使用者が単に上部筐体を開いて展開し受話部を耳に当てる通常の操作をした場合に、使用者の側頭部等の影響を受けずに所望の性能を発揮する折畳式携帯無線機用アンテナを得ることである。
【００３３】
以下、本発明の実施の形態について図面を参照して詳細に説明する。
【００３４】
（実施の形態１）
図１及び図２は、本発明の実施の形態１に係る折畳式携帯無線機の展開状態での外観構成等を説明する背面図及び側面図である。図１及び図２に示すように、上部筐体１００の下端と下部筐体１０１の上端とはヒンジ部１０２を介して回動自在に連結され、両筐体の正面側を閉じて折り畳み、また開いて展開できるようになっている。
【００３５】
上部筐体１００の正面側には、中央付近に主表示部１０３が配置され、上端側に受話部１０４が配置されている。また、上部筐体１００の背面側には、中央付近に副表示部１０５が配置されている。これらは図示しない回路基板に接続されている。
【００３６】
下部筐体１０１では、正面上部側にヒンジ部１０２が突出して設けられ、上部筐体１００の正面側と下部筐体１０１の正面側とを閉じて折り畳んだときに上部筐体１００が下部筐体１０１の正面側を塞いで蓋をするようになっている。また、内蔵される回路基板１０６の下端側表面には、送話部１０７が配置され、上端側背面には無線部１０８と給電部１０９とが配置されている。この給電部１０９には、下部筐体１０１の上部端面に突出して設けられるヘリカルアンテナ素子１１０の一端が接続されている。ヘリカルアンテナ素子１１０は、略４分の１波長の電気長を有している。
【００３７】
以上の構成において、導電性の薄膜や線材などで構成され略半波長の電気長を有する線状の無給電素子１１１が上部筐体１００を構成する樹脂製ケースの内面または外面に貼付する方法で、上部筐体１００の背面側下端のヒンジ部近傍に、即ち、開いて展開したときに上部筐体１００の背面側におけるヘリカルアンテナ素子１１０に近接する面上に配置されている。
【００３８】
この無給電素子１１１は、使用無線周波数が例えば２ＧＨｚであるとすると、全長が略半波長（自由空間において７５ｍｍ）、幅が例えば２ｍｍの線状導体素子となるが、ケースの誘電率や近接物によって物理的な長さは７５ｍｍよりも短くなる。そして、上部筐体１００は幅が一般に４０ｍｍから５０ｍｍ程度であることから、図１に示すように、２ＧＨｚ用の無給電素子１１１は、屈曲部を設けてコ字状に形成して配置する構成となっている。
【００３９】
図３は、図１に示す折畳式携帯無線機が備える無給電素子１１１の構成及び配置を説明する斜視図である。図１及び図２を参照しつつ図３に沿って無給電素子１１１の構成及び配置を具体的に説明する。
【００４０】
図３では、上部筐体１００の明示に代えて、上部筐体１００の内部に存在する導体板３０１がアンテナ動作を説明するために抜き出して示されている。この導体板３０１の幅は上部筐体１００の幅とほぼ等しいが、導体板３０１と無給電素子１１１とは電気的に絶縁されている。すなわち、無給電素子１１１は上部筐体１００の内部に存在する導電性材料からは電気的に絶縁されている。
【００４１】
無給電素子１１１は、上記のように使用する無線周波数と上部筐体１００の幅方向サイズとの関係でコ字形状に形成される場合、上部筐体１００の幅方向に対応する長尺の主素子片１１１ｂとこの主素子片１１１ｂの両端において同方向に折れ曲がって形成されるほぼ等長の副素子片１１１ａ，１１１ｃとで構成される。主素子片１１１ｂの長さは、上部筐体１００の幅とほぼ等しい長さ、副素子片１１１ａおよび１１１ｃの長さは、それぞれ１０ｍｍないし２０ｍｍ程度である。
【００４２】
折畳式携帯無線機の幅方向をＹ軸方向とし、厚み方向をＸ軸方向とし、長手方向をＺ軸方向とすると、無給電素子１１１は、主素子片１１１ｂをその中央位置を折畳式携帯無線機（上部筐体１００）の幅方向中央位置に一致させてＹ軸方向にほぼ平行にし、副素子片１１１ａ，１１１ｃをＺ軸方向とほぼ平行にして配置される。図示例では、Ｙ軸方向の一端側に副素子片１１１ａが配置され、Ｙ軸方向の他端側に副素子片１１１ｃが配置されている。
【００４３】
このとき、下部筐体１０１の幅方向一端側に配置されるヘリカルアンテナ素子１１０は導線を螺旋状に巻いたものであり、この螺旋の軸方向がＺ軸方向であるので、副素子片１１１ａは、ヘリカルアンテナ素子１１０の軸方向とほぼ並行して配置されることになる。
【００４４】
したがって、上部筐体１００を開いて展開したとき、副素子片１１１ａはヘリカルアンテナ素子１１０に近接した位置に配置されるので、そのときの間隔を例えば２ｍｍ程度に設定し、両者間での電磁結合を実現するようにしている。なお、Ｙ軸方向の他端側に配置される副素子片１１１ｃは、開放端である。
【００４５】
次に、図１〜図３を参照して、以上のように構成及び配置された無給電素子１１１を備える折畳式携帯無線機の動作について説明する。
【００４６】
上部筐体１００を開いて展開した状態において、ヘリカルアンテナ１１０が給電部１０９から励振されると、ヘリカルアンテナ素子１１０と副素子片１１１ａとが電磁結合し、人体側頭部や手から離れた位置に在る無給電素子１１１にアンテナ電流が励起され集中して流れるので、ヘリカルアンテナ１１０と、上部筐体１００内の導体板３０１と上部筐体１００内の電子部品と下部筐体１０１内の電子部品とを接続するフレキシブルプリント基板などとの電磁結合が抑制される。
【００４７】
このとき、副素子片１１１ａとヘリカルアンテナ素子１１０との距離が近いほど無給電素子１１１とヘリカルアンテナ素子１１０との電磁結合は大きくなる。また、ヘリカルアンテナ素子１１０に流れる電流の方向は、遠方界放射特性を考慮すると、その方向がヘリカルアンテナ素子１１０の軸方向、即ちＺ軸方向であることから、副素子片１１１ａがＺ軸方向に平行となるほど電磁結合は大きくなる。そして、無給電素子１１１の電気長は、半波長であるので、無給電素子１１１における電流のピーク位置は、無給電素子１１１の中央位置、即ち、主素子片１１１ｂの中央位置に存在する。よって、主素子片１１１ｂが最も放射に寄与する。なお、折畳式携帯無線機を閉じた状態においては、無給電素子１１１はヘリカルアンテナ素子１１０から離隔しているので放射に寄与しない。
【００４８】
ここで、以上のように作用する無給電素子を備えることで図１に示す折畳式携帯無線機にて得られるアンテナ特性について説明する。図４は、図１に示す折畳式携帯無線機が備えるアンテナ素子の放射パターンを示す図である。
【００４９】
図４では、図１０と同様に、直交座標ＸＹＺにおけるＸＺ面でのＥφ成分４０１とＥθ成分４０２とが示されている。図１０と比較して、図４では、Ｅθ成分４０２が全般に小さく、Ｅφ成分４０１が全般に大きく、特にＺ方向のＥφ成分４０１が４ｄＢ程度高い。Ｚ方向のＥφ成分４０１の向上は、図１１に示す使用態様での通話状態において、地面に対する垂直偏波成分の向上を意味するので、高いアンテナ性能が得られる。
【００５０】
即ち、ヘリカルアンテナ素子１１０と電磁結合する無給電素子１１１を設けることによってアンテナ性能が改善できたのである。このとき、上部筐体１００の幅方向に略平行な主素子片１１１ｂがＺ軸方向のＥφ成分を向上するので、通話状態においてより高いアンテナ性能を確保することができる。
【００５１】
なお、無給電素子１１１の形態は、図１〜図３に示す以外に、例えば図５に示すように種々の形態が採用可能である。図５は、図１に示す折畳式携帯無線機が備えることが可能な無給電素子の変形例を示す図である。
【００５２】
即ち、図５（ａ）に示すようにコ字状の両角部を曲線状に滑らかにした形態とすることでもよい。図５（ｂ）に示すように長尺の主素子片の両端側に配置される副素子片をミアンダ状にした形態とすることでもよい。図５（ｃ）に示すようにヘリカルアンテナ素子と電磁結合する副素子片の長さを長くしてその途中をＹ軸方向に折り曲げて形成した形態とすることでもよい。また、無給電素子の幅は一定である必要がないので、図５（ｄ）に示すように、リング状の金属性装飾部を長尺の主素子片の中央位置としてその両側から細い幅の素子片を引き出し、両端に副素子片を配置するようにした形態とすることでもよい。
【００５３】
また、アンテナ素子としてはヘリカルアンテナ素子１１０に限るものではなく、例えばミアンダアンテナ素子でもよく、また伸縮式の棒状アンテナ素子でもよい。
【００５４】
このように、実施の形態１によれば、上部筐体を開いて展開したときに下部筐体に設けられるアンテナ素子と電磁結合が可能となる線状の無給電素子を上部筐体に設けたので、通話状態においてアンテナ性能を改善することができる。このとき、無給電素子は、上部筐体の短手方向（幅方向）に沿って配置される主素子片を備え、かつその中央位置を上部筐体の短手方向中央位置に一致させてあるので、通話状態において地面に対する垂直偏波成分を向上することができ、より高いアンテナ性能を確保することができる。
【００５５】
したがって、通話する場合に、使用者は、単に上部筐体を開いて展開し受話部を耳に当てる通常の操作をするだけで、側頭部や手の影響による感度劣化を抑制することができる。
【００５６】
（実施の形態２）
図６は、本発明の実施の形態２に係る折畳式携帯無線機が備える無給電素子の構成を説明する斜視図である。なお、図６では、図３に示した構成と同一ないしは同等である構成には同一の符号が付されている。ここでは、この実施の形態２に関わる部分を中心に説明する。
【００５７】
図６において、実施の形態２に係る折畳式携帯無線機が備える無給電素子６００は、導電性の薄膜や線材などで構成され略半波長の電気長を有し、上部筐体１００を構成する樹脂製ケースの内面または外面に貼付する方法で、上部筐体１００の背面側下端のヒンジ部近傍に、即ち、上部筐体１００の背面側におけるヘリカルアンテナ素子１１０に近接する面上に配置されている点は、図３に示した無給電素子１１１と同様であるが、形態が図３に示した無給電素子１１１とは異なっている。
【００５８】
即ち、実施の形態２に係る折畳式携帯無線機が備える無給電素子６００は、上部筐体１００の長手方向（Ｚ軸方向）に沿って直線状に配置されている。使用無線周波数が例えば２ＧＨｚであるとすると、全長が略半波長（自由空間において７５ｍｍ）、幅が例えば２ｍｍの直線状導体素子となる。
【００５９】
そして、上部筐体１００を開いて展開したとき、無給電素子６００のヒンジ部側端は、ヘリカルアンテナ素子１１０に近接した位置に配置されるので、そのときの間隔を例えば２ｍｍ程度に設定し、両者間での電磁結合を実現するようにしている点も実施の形態１と同様である。
【００６０】
したがって、上部筐体１００を開いて展開した状態において、ヘリカルアンテナ素子１１０が給電部１０９から励振されると、ヘリカルアンテナ素子１１０と無給電素子６００の下端部とが電磁結合し、人体側頭部や手から離れた位置に在る無給電素子６００にアンテナ電流が励起され集中するので、実施の形態１と同様に、ヘリカルアンテナ１１０と、上部筐体１００内の導体板３０１と上部筐体１００内の電子部品と下部筐体１０１内の電子部品とを接続するフレキシブルプリント基板などとの電磁結合が抑制される。即ち、通話状態において高いアンテナ性能を確保することができる。
【００６１】
このように、実施の形態２によれば、上部筐体を開いて展開したときに下部筐体に設けられるアンテナ素子と電磁結合が可能となる直線状の無給電素子を上部筐体に設けたので、高いアンテナ性能を確保することができる。
【００６２】
したがって、通話する場合に、使用者は、単に上部筐体を開いて展開し受話部を耳に当てる通常の操作をするだけで、側頭部や手の影響による感度劣化を抑制することができる。
【００６３】
（実施の形態３）
図７は、本発明の実施の形態３に係る折畳式携帯無線機が備える無給電素子の構成を説明する斜視図である。なお、図７では、図３に示した構成と同一ないしは同等である構成には同一の符号が付されている。ここでは、この実施の形態３に関わる部分を中心に説明する。
【００６４】
図７において、実施の形態３に係る折畳式携帯無線機が備える無給電素子７００は、導電性の薄膜や線材などで構成され略半波長の電気長を有し、上部筐体１００に内蔵される樹脂製ケースの内面または外面に貼付する方法で、上部筐体１００の背面側下端のヒンジ部近傍に、即ち、上部筐体１００の背面側におけるヘリカルアンテナ素子１１０に近接する面上に配置されている点は、図３に示した無給電素子１１１と同様であるが、形態が図３に示した無給電素子１１１とは異なっている。
【００６５】
即ち、実施の形態３に係る折畳式携帯無線機が備える無給電素子７００は、略Ｌ字状に形成されている。具体的には、上部筐体１００の幅方向（Ｙ軸方向）におけるヘリカルアンテナ素子１１０が配置される一端側において上部筐体１００の長手方向（Ｚ軸方向）に沿う副素子片７００ａと、この副素子片７００ａの長手方向先端から折れ曲がって上部筐体１００の幅方向（Ｙ軸方向）に沿う主素子片７００ｂとで構成されている。主素子片７００ｂの中央位置は、上部筐体１００の幅方向（Ｙ軸方向）の中央位置と一致している。
【００６６】
この実施の形態２に係る折畳式携帯無線機が備える無給電素子７００においても、使用無線周波数が例えば２ＧＨｚであるとすると、全長が略半波長（自由空間において７５ｍｍ）、幅が例えば２ｍｍの線状導体素子となる。
【００６７】
そして、上部筐体１００を開いて展開したとき、無給電素子７００の副素子片７００ａはヘリカルアンテナ素子１１０に近接した位置に配置されるので、そのときの間隔を例えば２ｍｍ程度に設定し、両者間での電磁結合を実現するようにしている点も実施の形態１と同様である。
【００６８】
したがって、上部筐体１００を開いて展開した状態において、ヘリカルアンテナ素子１１０が給電部１０９から励振されると、ヘリカルアンテナ素子１１０と無給電素子７００の副素子片７００ａとが電磁結合し、人体側頭部や手から離れた位置に在る無給電素子７００にアンテナ電流が励起され集中するので、実施の形態１と同様に、ヘリカルアンテナ素子１１０と、上部筐体１００内の導体板３０１と上部筐体１００内の電子部品と下部筐体１０１内の電子部品とを接続するフレキシブルプリント基板などとの電磁結合が抑制される。即ち通話状態において高いアンテナ性能を確保することができる。
【００６９】
このように、実施の形態３によれば、上部筐体を開いて展開したときに下部筐体に設けられるアンテナ素子と電磁結合が可能となる線状の無給電素子を上部筐体に設けたので、通話状態においてアンテナ性能を改善することができる。このとき、無給電素子は、上部筐体の短手方向（幅方向）に沿って配置される主素子片を備え、かつその中央位置を上部筐体の短手方向中央位置に一致させてあるので、通話状態において地面に対する垂直偏波成分を向上することができ、より高いアンテナ性能を確保することができる。
【００７０】
したがって、通話する場合に、使用者は、単に上部筐体を開いて展開し受話部を耳に当てる通常の操作をするだけで、側頭部や手の影響による感度劣化を抑制することができる。
【産業上の利用可能性】
【００７１】
本発明は、使用者の側頭部等の影響を受けずに所望の性能を発揮する折畳式携帯無線機用アンテナとして好適である。
【図面の簡単な説明】
【００７２】
【図１】本発明の実施の形態１に係る折畳式携帯無線機の展開状態での外観構成を説明する背面図
【図２】図１に示す折畳式携帯無線機の展開状態での外観構成等を説明する側面図
【図３】図１に示す折畳式携帯無線機が備える無給電素子の構成及び配置を説明する斜視図
【図４】図１に示す折畳式携帯無線機が備えるアンテナ素子の放射パターンを示す図
【図５】図１に示す折畳式携帯無線機が備えることが可能な無給電素子の変形例を示す図
【図６】本発明の実施の形態２に係る折畳式携帯無線機が備える無給電素子の構成を説明する斜視図
【図７】本発明の実施の形態３に係る折畳式携帯無線機が備える無給電素子の構成を説明する斜視図
【図８】従来の折畳式携帯無線機の展開状態での外観構成を説明する背面図
【図９】図８に示す折畳式携帯無線機の展開状態での外観等の構成例を示す側面図
【図１０】図８に示す折畳式携帯無線機が備えるアンテナ素子の放射パターンを示す図
【図１１】通話状態での折畳式携帯無線機の使用態様を説明する図
【符号の説明】
【００７３】
１００  上部筐体
１０１  下部筐体
１０２  ヒンジ部
１０３  主表示部
１０４  受話部
１０５  副表示部
１０６  回路基板
１０７  送話部
１０８  無線部
１０９  給電部
１１０  ヘリカルアンテナ素子
１１１、６００、７００  無給電素子
１１１ａ、１１１ｃ、７００ａ  副素子片
１１１ｂ、７００ｂ  主素子片
３０１  導体板
【図１】
2006041689.tif 000003
【図２】
2006041689.tif 000004
【図３】
2006041689.tif 000005
【図４】
2006041689.tif 000006
【図５】
2006041689.tif 000007
【図６】
2006041689.tif 000008
【図７】
2006041689.tif 000009
【図８】
2006041689.tif 000010
【図９】
2006041689.tif 000011
【図１０】
2006041689.tif 000012
【図１１】
2006041689.tif 000013